(57)【要約】【課題】医療回診用の一般的なワゴン車では、作業者＜看護師＞がワゴン車の台上に載置したパソコンなどに記録する際に不自然な姿勢から腰痛が生じる場合があり、これを解消するためのワゴン車の構造改良を行うものである。【解決手段】四隅を垂直支柱で支持され且つ該支柱に取り付けた複数の載置用平板で構成し、前記支柱の下部には自在車輪を取り付け、前記平板に診察器具などを載せる開架式の医療回診用ワゴン車において、前記支柱のうち少なくとも隣接する２本の平行の支柱の下部に水平にて固定する自在の一対の折りたたみ式フットレストを設け、且つそのフットレストの上方には少なくとも６０ｃｍの空間領域を有せしめてなる医療回診用ワゴン車を提供する。【選択図】図１
2009119175.tif 000002
【特許請求の範囲】
【請求項１】
四隅を垂直支柱で支持され且つ該支柱に取り付けた複数の載置用平板で構成し、前記支柱の下部には自在車輪を取り付け、前記平板に診察器具などを載せる開架式の医療回診用ワゴン車において、前記支柱のうち少なくとも隣接する２本の平行の支柱の下部に水平にて固定する自在の一対の折りたたみ式フットレストを設け、且つそのフットレストの上方には少なくとも６０ｃｍの空間領域を有せしめてなることを特徴とする医療回診用ワゴン車。
【請求項２】
四隅を垂直支柱で支持され且つ該支柱に取り付けた複数の載置用平板で構成し、前記支柱の下部には自在車輪を取り付け、前記平板に診察器具などを載せる開架式の医療回診用ワゴン車において、前記支柱下段に取り付ける平行の水平フレームには回転固定する自在の一対の折りたたみ式フットレストを設け、且つそのフットレストの上方には少なくとも６０ｃｍの空間領域を有せしめてなることを特徴とする請求項１記載の医療回診用ワゴン車。
【請求項３】
前記ワゴン車下部の水平フレームは３方に存在し、前記フットレストの水平方向の下部には水平フレームがないことを特徴とする請求項２記載の医療回診用ワゴン車。
【請求項４】
前記フットレストの一方にある回転台座には四角形の貫通穴を設け、水平フレームの一端の四角柱と係合することを特徴とする請求項２記載の医療回診用ワゴン車。
【請求項５】
前記ワゴン車の複数の載置用平板のうち、第２段目平板と四隅の各垂直支柱にはアクチュエータ部分を備え、圧力装置によって第１段目の平板を昇降させること特徴とする請求項１記載の医療回診用ワゴン車。
【請求項６】
前記圧力装置としては、空気圧力器を用いた請求項５記載の医療回診用ワゴン車。
【請求項７】
四隅を垂直支柱で支持され且つ支柱に取り付けた複数の載置用平板で構成し、支柱の下部は自在車輪を取り付け、該平板に診察器具などを載せる開架式の診察用ワゴン車において、第２段目の平板の上段には摺動し得る平板を設け、手前に引き出せるようにし、前記支柱下段に取り付ける水平フレームには回転固定する自在の一対の折りたたみ式フットレストを設け、且つそのフットレストの上方には少なくとも６０ｃｍの空間領域を有せしめてなることを特徴とする医療回診用ワゴン車。
【請求項８】
前記摺動し得る平板には、パーソナルコンピュータを搭載した際落下しないように平板の周囲に囲いを設けてなることを特徴とする、請求項６記載の医療回診用ワゴン台車。
【発明の詳細な説明】
【技術分野】
【０００１】
本発明は、病院内にて診察回診時や薬投与、検温、注射、健康チェック時に使用される、医療器具を載置して運搬する医療回診用ワゴン車に関するものである。
【背景技術】
【０００２】
医療器具などを載置して運ぶワゴン車は、四本の支柱とその下に自在車と複数の平板とを組み合わせて構成されているのが一般的なワゴン車であり、多くの医療器具と検診記録ノートを載置するので、かなりの重みがあり、また、この上でパソコンやノートなどに記録することが作業として行われる。そのため、これらの作業する看護師には不自然な姿勢での作業が多く、腰痛の発生に悩まされることが多くあった。
【０００３】
一般的な医療用ワゴン車としては、例えば、特許文献１に示されているようなパソコンなどの使用に適したものがある。また、特殊な用法としては、特許文献２のような吸引付きチューブ収納容器をワゴン車に備えたものがある。さらに特許文献３のような仕切り部材付きのトレイを設けたワゴン車や特許文献４のような昇降天板付きテーブルのワゴン車がある。
【０００４】
【特許文献１】特開２００２−３５５１２８号公報
【特許文献２】特開２００７−８２６６０号公報
【特許文献３】特開２００４−１５９８０１号公報
【特許文献４】特開２００７−１８１５８０号公報
【発明の開示】
【発明が解決しようとする課題】
【０００５】
本発明では、一般的なワゴン車では、作業者がワゴン車の台上に載置したパソコンなどに記録する際に不自然な姿勢から腰痛が生じる場合があり、これを解消するためのワゴン車の構造改良を行うものである。
【課題を解決するための手段】
【０００６】
本発明の第１の解決手段は、四隅を垂直支柱で支持され且つ該支柱に取り付けた複数の載置用平板で構成し、前記支柱の下部には自在車輪を取り付け、前記平板に診察器具などを載せる開架式の医療回診用ワゴン車において、前記支柱のうち少なくとも隣接する２本の平行の支柱の下部に水平にて固定する自在の一対の折りたたみ式フットレストを設け、且つそのフットレストの上方には少なくとも６０ｃｍの空間領域を有せしめてなることを特徴とする。
【０００７】
更に、前記ワゴン車の複数の載置用平板のうち、第２段目平板と四隅の各垂直支柱にはアクチュエータ部分を備え、圧力装置によって第１段目の平板を昇降させることとする。
【０００８】
本発明の第２の解決手段は、四隅を垂直支柱で支持され且つ支柱に取り付けた複数の載置用平板で構成し、支柱の下部は自在車輪を取り付け、該平板に診察器具などを載せる開架式の診察用ワゴン車において、第２段目の平板の上段には摺動し得る平板を設け、手前に引き出せるようにし、前記支柱下段に取り付ける水平フレームには回転固定する自在の一対の折りたたみ式フットレストを設け、且つそのフットレストの上方には少なくとも６０ｃｍの空間領域を有せしめてなることを特徴とする。
【発明の効果】
【０００９】
本発明は、パソコンなどに記録する際、前足がワゴン車の中に入るスペースができ、これにより、重心の位置が前に重垂し、自然な位置関係になり、楽な姿勢が保てる。これにより、腰への負担が軽くなる。ワゴンを押す時には、フットレストは横に跳ね上げておけばよいので、足の邪魔にならず、スムーズに進める。
【発明を実施するための最良の形態】
【００１０】
図１は、本発明の基本的なワゴン車の一例斜視図である。ワゴン車１は、四本の垂直支柱２−１、２−２、２−３、２−４を四隅に配し、載置用平板３−１、３−２を間隔をおいて水平となるように、支柱に取り付ける。取り付けは、ネジ止めでもよいし、接着剤でもよい。支柱の下方には長め水平フレーム４−１、４−２を並行にしてネジ止めし、短め水平フレーム５−１も支柱の下方に設けた孔に入れて固定する。さらに各支柱の下部には方向自在車輪７−１、７−２、７−３、を嵌め込み固定する（もう一つの自在車輪は図では見えない）。
【００１１】
このとき、パソコン台となる平板３−１の一方で作業者が押す方向の接する側には、平行する２本の垂直支柱に渉る水平フレームは設けず、足が入りやすいように、開放してある。この両方の支柱４−１、４−２の開放側の中間には、長め水平フレーム４−１、４−２にはフットレスト８−１、８−２が水平及び垂直へ開閉するように取り付けられている。中間棚となる平板３−２の上方には、落下防止用ネット６により、３方が落下防止の構造とされている。手押し棒９−１，９−２は支柱先端に連結されている。
【００１２】
図２は、本発明に用いる１実施例のフットレスト２１，２２と長め水平フレーム２５，２６との斜視図である。フットレスト２１，２２の水平フレームに取り付けられる方の、回転固定台座２１−１には、正方形の貫通孔２３が形成され、一方、丸棒２５−１，２６−１の水平フレーム２５，２６の一方の端部には正方形の角柱２５−２，２６−２に形成されており、この角柱部分とフットレストの正方形貫通孔とが適合するように構成されている。丸棒部分２５−１，２６−１の直径は、角柱正方形の平行する二辺の距離よりも小さいものとする。フットレストを使用しないときは、水平フレームの正方形角柱とフットレストの台座の貫通孔とを合わせて垂直状態に保ち、使用するときには、フットレストを他方（図中矢印）に動かして正方形角柱に隣接した丸棒部分で回転させ、正方形角柱と正方形貫通孔とを適合させて、元の場所に移動して水平状態に維持する。これは、１実施例であって、フットレストを留める機構は、他の方法でももちろん実施できる。
【００１３】
図３は、本発明の他の実施例斜視図であり、最上段の平板３１にコンピュータ３２を搭載したもので、コンピュータ３２が落ちないようにサイドカバー３３−１，３３−２，３３−３，３３−４が施されている。これらのサイドカバーは、医療機器や器具を載せるのにも落下防止にしてある。
【００１４】
図４は、本発明のワゴン車を看護師が使用しているところの斜視図である。ワゴン車４１上のコンピュータ４２を使用する場合、前かがみの姿勢となるため、腰部に負担がかかるが、ここでは、フットレスト４３を水平にして、前足を乗せることにより、前かがみ状態による、腰部への負担を軽減できるようにしている。ここでは、看護師の前足部分が入るように、平板４４と水平フットレスト４３との間には少なくとも６０ｃｍの隙間（空間）Ａを設けることにより、前足がスムーズに入るように設計されている。
【００１５】
図５は、本発明他実施例の斜視図であり、フットレストのほかに、ワゴン車５１の平板５２を看護師の身長に合わせて作業しやすいように、各垂直支柱の第２平板５３の上部にはアクチュエータ部分５４−１，５４−２，５４−３，５４−４が設けられ、これらはワゴン車の下部の油圧装置又は空気圧装置５５によってパイプ５６−１，５６−２，５６−３，５６−４，５６−５，５６−６を通して、アクチュエータ部分を作動させ、支柱５７−１，５７−２，５７−３，５７−４とそれぞれ対になる別体の支柱５８−１，５８−２，５８−３，５８−４を昇降させるようにしている。
【００１６】
図６は、本発明他実施例によるワゴン車の斜視図であり、ワゴン車６１の第２段目の平板６２にコンピュータ６３を搭載し、使用に際しては手前に平板６２を摺動してコンピュータ６３の蓋を開けて使用する。尚、コンピュータの落下防止のために、平板６２の三方向部分には、落下防止枠となるネット６４を張っている。平板６２の下には固定平板６５を設置している。
【００１７】
図７は、従来のワゴン車７１でコンピュータ７２などへの書込み一例の斜視図であり、看護師の作業姿勢として、このように、直立した状態では、前足の踏込む余地Ｂがないことから、重心が前側にかかり、そのため腰部への負担から腰痛の原因となることがある。
【図面の簡単な説明】
【００１８】
【図１】本発明の基本的なワゴン車の一例斜視図である。
【図２】本発明に用いる１実施例のフットレスト２１，２２と水平フレーム２５，２６との斜視図である。
【図３】本発明の他の実施例ワゴン車の斜視図である。
【図４】本発明のワゴン車を看護師が使用しているところの斜視図である。
【図５】本発明他実施例ワゴン車の斜視図である。
【図６】本発明の更なる他実施例ワゴン車の斜視図である。
【図７】従来のワゴン車での書込み一例の斜視図である。
【符号の説明】
【００１９】
１，４１，５１，６１，７１  ワゴン車
２−１，２−２，２−３，２−４  垂直支柱
３−１，３−２  平板
４−１，４−２  長め水平フレーム
５−１  短め水平フレーム
６  ネット
７−１，７−２，７−３  自在車輪
８−１，８−２  フットレスト
９−１，９−２  手押し棒
２１，２２  フットレスト
２３，２４  正方形貫通孔
２５，２６  長め水平フレーム
３３−１，３３−２，３３−３，３３−４  サイドカバー
５４−１，５４−２，５４−３，５４−４  アクチュエータ部分
５５  油圧又は空気圧装置
【図１】
2009119175.tif 000003
【図２】
2009119175.tif 000004
【図３】
2009119175.tif 000005
【図４】
2009119175.tif 000006
【図５】
2009119175.tif 000007
【図６】
2009119175.tif 000008
【図７】
2009119175.tif 000009